【手続補正書】
【提出日】平成17年11月24日(2005.11.24)
【手続補正１】
【補正対象書類名】明細書
【補正対象項目名】全文
【補正方法】変更
【補正の内容】
【書類名】  明細書
【発明の名称】  屋根融雪装置
【特許請求の範囲】
【請求項１】  電気的に通電制御可能な耐候性を有する電気絶縁性のヒータを耐候性を有する粘着テープで屋根材に固定したことを特徴とする屋根融雪装置。
【請求項２】  前記耐候性を有する電気絶縁性のヒータが、フッ素樹脂を被覆した線状ヒータであることを特徴とする請求項１記載の屋根融雪装置。
【請求項３】  前記耐候性を有する粘着テープが金属箔製の粘着テープであることを特徴とする請求項２記載の屋根融雪装置。
【請求項４】  前記金属箔製の粘着テープの表面に耐候性樹脂による塗膜を有することを特徴とする請求項３記載の屋根融雪装置。
【発明の詳細な説明】
【０００１】
【発明の属する技術分野】本発明は屋根に積もった雪を融雪するための屋根融雪装置に関し、特に簡単に施工でき長期間にわたって使用可能な屋根融雪装置に関する。
【０００２】
【発明が解決しようとする課題】従来、この種の屋根融雪装置は、ヒータとして発熱体の表面を塩化ビニル樹脂などで被覆して絶縁したものを使用しており、この塩化ビニル樹脂被覆によるヒータは、ヒータ自身の耐候性が劣るため、使用環境が厳しい屋根上に露出させたのでは、すぐに被覆層が劣化し絶縁不良となる危険があったため屋根材より内側にヒータを設置する必要があったので、屋根融雪装置の設置には、屋根の葺き替えが必要であり、この結果、屋根融雪装置自体のコストよりも大幅に大きなコストがかかってしまうという問題点があった。また、屋根材の内側にヒータを設ける場合には、施工のタイミングで天候に左右されたり、他の建設工事との日程調整が困難になる為の施工精度など工事に要する労力が大きいという問題点もある。
【０００３】本発明は、かかる課題に基いてなされたものであり、簡単に施工でき長期間にわたって使用可能な屋根融雪装置を提供することを目的とする。
【０００４】
【課題を解決するための手段】本発明の請求項１記載の屋根融雪装置は、電気的に通電制御可能な耐候性を有する電気絶縁性のヒータを耐候性を有する粘着テープで屋根材に固定したものである。このようにヒータとして耐候性を有するもの用いることによりヒータを直接屋根材上に設置することが可能となり、またその接着手段として耐候性を有する粘着テープを用いることにより、テープでヒータを接着するだけの簡単な施工により長期間屋根融雪装置として使用することができる。
【０００５】また、請求項２記載の屋根融雪装置は、前記請求項１において、前記耐候性を有する電気絶縁性のヒータが、フッ素樹脂を被覆した線状ヒータであるものである。このフッ素樹脂を被覆した線状ヒータの被覆材であるフッ素樹脂は、耐候性に優れ強度が大きく絶縁性が良好であるので、屋根材表面に露出させて屋外環境に放置しても長期間にわたり使用することができる。また、屋根材表面に露出できるだけでなく、前記性質により被覆層の厚さを従来用いられてきた塩化ビニル樹脂よりもその被覆層を薄くすることができる上、フッ素樹脂は赤外線透過率が高いため、融雪性能も向上させることができる。
【０００６】請求項３記載の屋根融雪装置は、前記請求項２において、前記耐候性を有する粘着テープが金属箔製の粘着テープであるものである。この金属箔製の粘着テープは耐候性に優れ強度が大きいので、前記フッ素樹脂を被覆した線状ヒータを固定して、屋根材表面に露出させて屋外環境に放置しても長期間にわたり使用することができる。また、金属箔製の粘着テープは熱伝導性に優れているので融雪性能が向上する。
【０００７】さらに、請求項４記載の屋根融雪装置は、前記請求項３において、前記金属箔製の粘着テープの表面に耐候性樹脂による塗膜を有するものである。このため、金属箔製の粘着テープの耐候性がさらに向上したものとなっている。
【０００８】
【発明の実施形態】以下本発明の一実施例による屋根融雪装置について、図１及び図２を参照して説明する。
【０００９】図１及び図２において、１は家屋Ｈの野地板であり、この野地板１上には、屋根板材である横葺の屋根板材２…が敷設されている。この横葺屋根用２の境界となる段部に耐候性を有する電気絶縁性のヒータたるフッ素樹脂を被覆した線状ヒータとしての線状のテフロン（商品名）被覆ヒータ３が横方向に複数条配置されており、このテフロン被覆ヒータ３は、耐候性を有する粘着テープたる金属箔製の粘着テープとしてのアルミテープ４により横葺屋根板材２に貼着されることにより固定されている。尚、アルミテープ４はテフロン被覆ヒータ３の長手方向に沿ってほぼ全長にわたって配設されている。そして、このテフロン被覆ヒータ３は、図示しない制御装置たるコントローラに接続しており、横葺屋根板材２…上に設けられた温度センサあるいは降雪センサ（図示せず）などの情報に基づいて自動でテフロン被覆ヒータ３をオン・オフ制御することができる一方、手動でオン・オフ制御することができるように構成されている。
【００１０】上述したような屋根融雪装置においてテフロン被覆ヒータ３は、ニクロム線などの発熱線材にテフロン製の絶縁層を設けたものである。このテフロンは耐候性に優れ、強度が大きく絶縁性が良好であるので、従来使用されてきた塩化ビニル樹脂被覆によるヒータよりも熱効率に優れたものとなっている。
【００１１】また、アルミテープ４の外側面（非粘着面）には、屋根材２として使用するトタンやカラー鋼板などの各種屋根材の色合いと調和させるために屋根材２応じた色彩に焼き付けが施されている。なお、屋根材の色彩に合わせたカラーアルミテープを用いることもできる。また、さらにその表面には耐候性の向上を目的としてアクリル系樹脂による塗装が施されている。一方、粘着面側にも通常の粘着テープとして使用する場合より約５０％多い接着剤が塗布されており、屋根材２上で屋外に露出した過酷な条件下でも長期間粘着性が失われず、かつテープ自身の耐候性及び耐久性が向上したものとなっている。
【００１２】上述したような本発明の屋根融雪装置は、屋根板材にテフロン被覆ヒータ３を敷設し、それをアルミテープ４で固定するだけで既存の屋根に設置することができる。
【００１３】以上詳述したとおり本発明の屋根融雪装置は、電気的に通電制御可能な耐候性を有する電気絶縁性のヒータたるテフロン被覆ヒータ３を耐候性を有する粘着テープたるアルミテープ４で屋根材２上に固定したものである。このようにテフロン被覆ヒータ３を用いることにより、ヒータを直接屋根材２上に露出して設置することが可能となり、またその接着手段としてアルミテープ４を用いることにより、テフロン被覆ヒータ３を接着するだけの簡単な施工により長期間屋根融雪装置として使用することができる。しかも既存のほとんど屋根にそのまま施工することができ、屋根の葺き替えの必要がなくなる。したがって、屋根融雪装置自体としてのコストも大幅に削減でき、更に屋根の葺き替え分を含む総合的コストとしては飛躍的に節約することができる。しかも施工業者においても本実施例の装置は、テフロン被覆ヒータ３とアルミテープ４とコントローラと、必要に応じて温度センサや降雪センサとからなるシンプルな構成であるので、施工が楽で故障がおきにくく、また修理も容易である。さらに、万一アルミテープ４の粘着力が弱まったときには、アルミテープ４だけを貼り替えればよいのでメンテナンスも容易である。その上、屋根材２上は細径なテフロン被覆ヒータ３とアルミテープ４とが露出することになるが、これらはいずれもその表面が滑らかであるので、枯葉やホコリなどのゴミが付着しにくい。さらにまた、アルミテープ４の表面にはアクリル系樹脂なとによる塗膜が形成されているので、錆たりしにくく、耐候性がさらに向上したものとなっている。
【００１４】このような効果を奏する本実施例の屋根融雪装置は、総合的なコストにおいて従来のものよりも大幅に軽減され、施工期間も短くて済むので豪雪で悩む雪国での雪処理問題の解消に大きく貢献することができ、特に過疎地など高齢者が多い地域で有用である。
【００１５】以上、本発明の実施例について詳述したが、本発明は上記一実施例に限定されるものではなく、例えば、前記実施例においてアルミテープ４の代わりにステンレステープを用いてもよく、さらには他の金属箔によるテープを用いてもよい。さらにまたアルミテープ４などの表面には各種模様などの意匠を凝らすことにより屋根板材２に限らず、瓦や他の屋根にも好適に適用可能である。また、テフロン被覆ヒータ３は前述の屋根材等のみならず、ソーラ発電のパネル又はソーラ発電のパネルからなる屋根材にも適用可能であり、ソーラ発電のパネルに用いる場合には、光透過性の高い透明のテフロンテープを共に用いるのが好ましい。さらに、屋根材になりうる耐候性を有するパネル状のものに、ヒータを貼り付け、それをヒータ一体型の屋根材として用いることも可能である。その上、ヒータを屋根材に固定する手段としては、テープに限らず、シートを用いてヒータを屋根材に接着させてもよく、シートの材質も様々なもので対応可能であり、シートを用いた場合には面状ヒータも使用可能である。さらにまた、耐候性の無いヒータについても耐候性を有するテープ又はシートを用いることで対応が可能である。そして、耐候性のあるヒータの裏側に両面テープを装着し、屋根に張り付けることも可能である。また、本発明の屋根融雪装置は、既存の屋根にそのまま設置することができるものであるが、新築家屋の屋根に設置してもよいことは言うまでもない。
【００１６】
【発明の効果】本発明の請求項１記載の屋根融雪装置は、電気的に通電制御可能な耐候性を有する電気絶縁性のヒータを耐候性を有する粘着テープで屋根材に固定したものであるので、ヒータを直接屋根材上に露出して設置することが可能となり、耐候性を有するテープでヒータを接着するだけの簡単な施工により長期間屋根融雪装置として使用することができる。
【００１７】また、請求項２記載の屋根融雪装置は、前記請求項１において、前記耐候性を有する電気絶縁性のヒータが、フッ素樹脂を被覆した線状ヒータであるものである。このフッ素樹脂を被覆した線状ヒータの被覆材であるフッ素樹脂は、耐候性に優れ強度が大きく絶縁性が良好であるので、屋根材表面に露出させて屋外環境に放置しても長期間にわたり使用することができる。また、屋根材表面に露出できるだけでなく、発熱効率の向上を図ることができ、融雪性能も向上させることができる。
【００１８】請求項３記載の屋根融雪装置は、前記請求項２において、前記耐候性を有する粘着テープが金属箔製の粘着テープであるものであるので、前記フッ素樹脂を被覆した線状ヒータを固定して屋根材表面に露出させて屋外環境に放置しても長期間にわたり使用することができる。
【００１９】さらに、請求項４記載の屋根融雪装置は、前記請求項３において、前記金属箔製の粘着テープの表面に耐候性樹脂による塗膜を有するものであるので、金属箔製の粘着テープの耐候性がさらに向上したものとなっている。
【図面の簡単な説明】
【図１】本発明の一実施例による屋根融雪装置を設置した状態を示す断面図である。
【図２】同屋根融雪装置を側面より見た斜視図である。
【符号の説明】
１  野地板
２  屋根板材
３  テフロン被覆ヒータ（フッ素樹脂を被覆した線状ヒータ、耐候性を有する電気絶縁性のヒータ）
４  アルミテープ（金属箔製の粘着テープ、耐候性を有する粘着テープ）